(57)【要約】【課題】弦楽器型電子楽器において、初心者でも簡単に和音演奏を楽しむことができるようにする。【解決手段】この弦楽器型電子楽器は、フレット操作子１２１，１２２・・１２６の操作により指定された音高の楽音を、弦部材２１１，２１２・・２１６の操作に同期して発音する。簡易和音演奏モードにおいては、複数の操作されたフレット操作子１２１，１２２・・１２６のうちで、所定の基準に従って選択された一つの操作子に対応した音高（例えば、最高音）が和音根音として決定される。残りの操作されたフレット操作子の操作状態により、和音タイプが決定される。例えば、和音根音に対応したフレット操作子に隣接する低音側に隣接した列および／または同和音根音に対応したフレット操作子から低音側に２列目に属するフレット操作子の操作の有無により、セブンス、マイナなどの和音タイプが決定される。【選択図】　図１
2004117621.tif 000002
【特許請求の範囲】
【請求項１】
弦楽器における複数のフレットおよび複数の弦に対応させて設けられ、発生される楽音の音高を指定するための複数の音高指定部材と、
弦楽器における複数の弦に対応させて設けられ、楽音の発生を指示するための複数の発音指示部材と、
前記複数の音高指定部材の操作および前記複数の発音指示部材の操作に基づいて、前記操作された音高指定部材に対応した音高を有する楽音信号を前記発音指示部材の操作時に発生する楽音信号発生手段とを備えた弦楽器型電子楽器において、
操作された複数の音高指定部材の中から所定の基準に従って一つの音高指定部材を選択するとともに、同選択した一つの音高指定部材に対応した音高を和音根音として決定する和音根音決定手段と、
操作された複数の音高指定部材のうちで前記選択された一つの音高指定部材以外の他の音高指定部材の操作状態に応じて和音タイプを決定する和音タイプ決定手段と、
前記決定された和音根音および和音タイプに応じて前記楽音信号発生手段を制御し、同決定された和音根音および和音タイプによって指定される和音構成音に対応した楽音信号を発生させる和音信号発生制御手段とを設けたことを特徴とする弦楽器型電子楽器。
【発明の詳細な説明】
【０００１】
【発明の属する技術分野】
本発明は、弦楽器の形状に似せるとともに、弦楽器と似た態様の演奏により楽音信号を発生する弦楽器型電子楽器に関する。
【０００２】
【従来の技術】
従来、この種の弦楽器型電子楽器においては、弦楽器に対応させて棹部および胴部を有し、弦楽器における複数のフレットおよび複数の弦に対応させた複数の音高指定部材を棹部に設けるとともに、弦に対応させた複数の発音指示部材を胴部に弦を操作する方向に変位可能に設け、音高指定部材の操作によって音高を指定した後、発音指示部材を操作することにより、指定された音高の楽音信号を発生するようにしている（特許文献１）。
【０００３】
【特許文献１】特開２００２−２５８８３９号公報
【０００４】
【発明が解決しようとする課題】
上記従来の弦楽器型電子楽器においては、弦楽器と同様な態様で演奏すれば、弦楽器と同様な楽音信号を発生させることができる。しかしながら、和音演奏を行うためには、複数の音高指定部材の同時操作により和音構成音をそれぞれ指定する必要があり、この複数の音高指定部材の正確な同時操作は比較的難しいので、初心者にあっては、和音演奏を簡単に楽しむことができなかった。
【０００５】
【発明の概要】
本発明は、上記問題に対処するためになされたもので、その目的は、初心者でも簡単に和音演奏を楽しむことができる弦楽器型電子楽器を提供することにある。
【０００６】
前記目的を達成するために、本発明の構成上の特徴は、弦楽器における複数のフレットおよび複数の弦に対応させて設けられ、発生される楽音の音高を指定するための複数の音高指定部材と、弦楽器における複数の弦に対応させて設けられ、楽音の発生を指示するための複数の発音指示部材と、複数の音高指定部材の操作および複数の発音指示部材の操作に基づいて、前記操作された音高指定部材に対応した音高を有する楽音信号を発音指示部材の操作時に発生する楽音信号発生手段とを備えた弦楽器型電子楽器において、操作された複数の音高指定部材の中から所定の基準に従って一つの音高指定部材を選択するとともに、同選択した一つの音高指定部材に対応した音高を和音根音として決定する和音根音決定手段と、操作された複数の音高指定部材のうちで前記選択された一つの音高指定部材以外の他の音高指定部材の操作状態に応じて和音タイプを決定する和音タイプ決定手段と、前記記決定された和音根音および和音タイプに応じて楽音信号発生手段を制御し、同決定された和音根音および和音タイプによって指定される和音構成音に対応した楽音信号を発生させる和音信号発生制御手段とを設けたことにある。
【０００７】
この場合、弦楽器型電子楽器は、例えば、ギター、バイオリン、チェロなどのような棹部および胴部を有する弦楽器に形状に形成されるとともに、複数の音高指定部材を、弦楽器における弦およびフレットに対応させて棹部に設けた複数のフレット操作子で構成するとよい。また、複数の発音指示部材を、弦楽器における複数の弦に対応させて胴部に変位可能に設けた複数の弦部材で構成するとよい。
【０００８】
また、前記和音根音決定手段を、操作された複数の音高指定部材によってそれぞれ指定される複数の音高のうちの最高音または最低音の音高を和音根音として決定したり、操作された複数の音高指定部材の位置的関係により定まる一つの音高指定部材（例えば、操作された複数の音高指定部材のうちで棹の幅方向または軸方向の端部に最も近い一つの音高指定部材）に対応する音高を和音根音として決定するようにも構成できる。さらに、いずれの音高指定部材も操作されていない状態で、最先に操作された音高指定部材により根音を決定するような、操作された音高指定部材の時間関係から和音根音を決定するようにしてもよい。
【０００９】
また、和音タイプ決定手段を、操作された複数の音高指定部材のうちで、前記和音根音を指定した音高指定部材以外の一つまたは複数の音高指定部材の同和音根音を指定した音高指定部材に対する相対位置、または前記和音根音を指定した音高指定部材以外の音高指定部材の操作数に応じて和音タイプを決定するように構成できる。また、前記最先に操作された音高指定部材に対する音高を和音根音とした場合には、２番目以降に操作された音高指定部材の和音根音に対応した音高指定部材との位置的関係により和音タイプを決定するようにしてもよい。また、和音タイプとしては、メジャ、マイナ、セブンス、マイナセブンスなどを採用できる。
【００１０】
このように構成した本発明においては、演奏者が、和音根音に対応する音高指定部材を操作することにより和音根音を指定するとともに、和音根音に対応した音高指定部材の近傍の音高指定部材の操作により和音タイプを指定して、複数の発音指示部材を操作することにより、前記和音根音および和音タイプによって指定される和音の構成音に対応した楽音信号を発生させることができる。したがって、演奏者は、和音の各構成音をそれぞれ指定するように複数の音高指定部材を正確に同時操作しなくても、簡単な操作により和音構成音に対応した楽音信号を発生させることができ、初心者でも簡単に和音演奏を楽しむことができる。
【００１１】
【発明の実施の形態】
以下、本発明の一実施形態に係る弦楽器型電子楽器について図面を用いて説明すると、図１はこの弦楽器型電子楽器の本体部の上面外観を概略的に示している。この弦楽器型電子楽器の本体部は、ギターに似た形状に構成されており、棹部１０および胴部２０を備えている。
【００１２】
棹部１０には、幅方向に延設された複数のフレット１１が軸方向に沿って所定距離を隔てて埋設されている。各フレット１１間には、それぞれ６個の長尺状のフレット操作子１２１，１２２，・・１２６が長手方向を棹部１０の軸方向にしてそれぞれ埋設されている。そして、棹部１０の軸方向に１列に配置された各列のフレット操作子１２１，１２２，・・１２６は、ギターの６個の弦にそれぞれ対応している。棹部１０内には各フレット操作１２１，１２２，・・１２６にそれぞれ対応して同フレット操作子１２の数に等しいフレットスイッチ群１３（図２参照）が設けられている。フレットスイッチ群１３は、フレット操作子１２１，１２２・・１２６への各接触によりそれぞれオンするタッチスイッチにより構成されている。なお、フレット操作子１２１，１２２・・１２６を棹部１０の上面に対して垂直に少量だけ変位可能に組み付けておき、演奏者によるフレット操作子１２１，１２２・・１２６の各押圧操作時にそれぞれオンするようにフレットスイッチ群１３を構成するようにしてもよい。
【００１３】
これらのフレット操作子１２１，１２２・・１２６は、その棹部１０の軸方向位置により発生される楽音の音高をそれぞれ指定するための音高指定部材を構成するものである。棹部１０の軸方向に１列に配置された各フレット操作子１２１，１２２・・１２６は、ギターの第１弦、第２弦・・第６弦にそれぞれ対応した各楽音の音高をそれぞれ指定するもので、胴部２０に近づくに従って半音高い音高を指定する。なお、図１の最下位置（紙面における最右位置、すなわち棹部１０を上とするとともに胴部２０を下とした弦並び方向の最右位置）の１列の複数のフレット操作子１２１がギターの第１弦（最も細い弦）に対応し、残りの５列の各複数のフレット操作子１２２・・１２６が図１の上方に向かう従ってギターの第２弦〜第６弦にそれぞれ対応する。そして、本明細書においては、ギターの第１弦〜第６弦に対応した各列のフレット操作子１２１，１２２・・１２６によって音高の指定される楽音（または楽音信号）をそれぞれ第１〜第６楽音（または第１〜第６楽音信号）という。
【００１４】
このフレット操作子１２による音高の指定例について若干説明しておくと、各列の複数のフレット操作子１２１，１２２・・１２６のいずれも操作されなければ、第１、第２・・第６楽音の指定音高は、それぞれギターの第１弦、第２弦・・第６弦の各開放時における各音名Ｅ３，Ｂ２，Ｇ２，Ｅ２，Ａ２，Ｅ２に対応した音高になる。そして、第１フレット１１（棹部１０の最先端位置のフレット１１）に対応したフレット操作子１２１，１２２・・１２６の操作により前記各音名よりも半音高い音高がそれぞれ指定され、胴部２０に近づくフレット操作子１２１，１２２・・１２６の各操作により順次半音ずつ高くなる音高が指定される。
【００１５】
棹部１０の胴部２０との近傍位置には、この弦楽器型電子楽器の動作モードを種々に設定するための複数のモード制御操作子１４が設けられている。特に、この複数のモード制御操作子１４の中には、この弦楽器型電子楽器を通常の演奏態様で演奏する通常演奏モードと、簡易な演奏方法で和音を演奏できる簡易和音演奏モードとを切換えるためのモード切換え操作子が設けられている。これらのモード制御操作子１４の操作は、棹部１０に埋設したタッチ式の複数のモード制御スイッチ群１５（図２参照）によって検出されるようになっている。
【００１６】
胴部２０には、ギターの第１弦、第２弦・・第６弦に対応させた弦部材２１１，２１２・・２１６が、フレット操作子１２１，１２２・・１２６の各列の延長上位置に、胴部２０の上面に対向させるとともに棹部１０の軸方向に延設配置されている。弦部材２１１，２１２・・２１６は、硬質の線材で形成されており、図１の上方（紙面における左方）へ向かうに従って少しずつ太くなっている。弦部材２１１，２１２・・２１６の各両端部は胴部２０の上面に対して垂直方向にそれぞれ曲げられて、胴部２０内に侵入している。そして、これらの弦部材２１１，２１２・・２１６の各両端部は、胴部２０内にて揺動可能に支持されるとともに胴部２０内に設けた弾性部材により基準位置に付勢されており、弦部材２１１，２１２・・２１６の図１の上下方向（紙面における左右方向）の変位を許容している。
【００１７】
これらの弦部材２１１，２１２・・２１６は、楽音の発生を指示するための複数の発音指示部材を構成するもので、演奏者によって図１の上下方向に変位操作（發弦操作に対応）される。そして、この操作による各弦部材２１１，２１２・・２１６の変位により、第１〜第６楽音の発音がそれぞれ独立して指示される。また、胴部２０内には、弦部材２１１，２１２・・２１６の各一端部の変位量すなわち弦部材２１１，２１２・・２１６の変位量（揺動量）をそれぞれ検出する変位量センサ群２２が設けられている。
【００１８】
次に、この弦楽器型電子楽器の一部を構成する電気回路装置について説明する。この電気回路装置は、図示しないコントロールボックスに内蔵されており、フレットスイッチ群１３、モード制御スイッチ群１５および変位量センサ群２２に電気コード２３を介して接続されている。なお、以降に説明する電気回路装置の一部を弦楽器型電子楽器本体に内蔵させるようにしてもよい。
【００１９】
この電気制御装置は、図２に示すように、コンピュータ装置３０、楽音信号発生部４０、アンプ５１およびスピーカ５２を備えている。コンピュータ装置３０は、ＣＰＵ、ＲＯＭ、ＲＡＭなどを主用構成部品とするもので、プログラム処理によって各種機能を実現するものである。しかし、説明を簡単にするために、このコンピュータ装置３０に関しては、各種機能を実現する機能ブロック図を用いて説明する。
【００２０】
コンピュータ装置３０は、フレット操作検出部３１、モード制御操作検出部３２および弦部材操作検出部３３を備えている。フレット操作検出部３１は、フレットスイッチ群１３からのオン・オフ信号に基づいて、フレット操作子１２１，１２２・・１２６のうちで操作されているフレット操作子を検出する。モード制御操作検出部３２は、モード制御スイッチ群１５からのオン・オフ信号に基づいてモード制御操作子１４の操作を検出する。
【００２１】
弦部材操作検出部３３は、変位量センサ群２２からの弦部材２１１，２１２・・２１６の変位量を表す検出信号に基づいて弦部材２１１，２１２・・２１６のうちの操作された弦部材を検出する。この場合、弦部材操作検出部３３は、前記各検出信号値と予め決めた所定の閾値とをそれぞれ比較し、各検出信号値が閾値を越えた時点で弦部材が操作されたことを検出して、同検出結果をキーオン信号として弦部材２１１，２１２・・２１６ごとにそれぞれ楽音信号発生部４０に供給する。この弦部材操作検出部３３には、タッチ検出部３３ａも含まれている。このタッチ検出部３３ａは、前記操作の検出された弦部材２１１，２１２・・２１６の変位量を表す検出信号のピーク値を検出して、同検出ピーク値を表す信号をタッチ検出信号として弦部材２１１，２１２・・２１６ごとにそれぞれ楽音信号発生部４０に供給する。
【００２２】
フレット操作検出部３１によって検出されて、操作されたフレット操作子１２１，１２２・・１２６を表す信号は、音高指定部３４、和音根音決定部３５および和音タイプ決定部３６に供給される。音高指定部３４は、操作されたフレット操作子１２１，１２２・・１２６に対応した音名を表す音名情報を、ギターの第１弦、第２弦・・第６弦に対応した各列ごとに選択部３８に供給する。ただし、同一列の複数のフレット操作子１２１，１２２・・１２６が同時操作されている場合には、胴部２０に最も近い側（最も高音側）のフレット操作子１２１，１２２・・１２６のみが採用される。和音根音決定部３５は、操作されたフレット操作子１２１，１２２・・１２６の中で最高音に相当するフレット操作子に対応した音名を根音として決定する。和音タイプ決定部３６は、前記操作されたフレット操作子１２１，１２２・・１２６に関する情報および前記決定された根音を用いて和音タイプを決定する。
【００２３】
具体的には、和音タイプ決定部３６は、根音として決定したフレット操作子の低音側（図１の上側）に隣接した列および同根音として決定したフレット操作子から低音側に２列目に属するいずれのフレット操作子も操作されていなければ、メジャの和音タイプを決定する。根音として決定したフレット操作子の低音側に隣接した列に属するいずれかのフレット操作子が操作され、かつ同根音として決定したフレット操作子から低音側に２列目に属するいずれのフレット操作子も操作されていなければ、セブンスの和音タイプを決定する。根音として決定したフレット操作子の低音側に隣接した列に属するいずれのフレット操作子も操作されておらず、かつ同根音として決定したフレット操作子から低音側に２列目に属するいずれかのフレット操作子が操作されれば、マイナの和音タイプを決定する。根音として決定したフレット操作子の低音側に隣接した列に属するいずれかのフレット操作子および同根音として決定したフレット操作子から低音側に２列目に属するいずれかのフレット操作子が共に操作されていれば、マイナセブンスの和音タイプを決定する。
【００２４】
この和音タイプの決定について具体例を上げて説明すると、フレット操作子１２１，１２２・・１２６を図３（Ａ）〜図６（Ａ）に示すように操作すれば、それぞれＣメジャ、Ｃセブンス、ＣマイナおよびＣマイナセブンスの和音タイプがそれぞれ指定されることになる。なお、図３（Ａ）〜図６（Ａ）においては、フレット操作子１２１，１２２・・１２６における根音指定のための操作を○印で表し、和音タイプ指定のための操作を△印で表している。
【００２５】
和音根音決定部３５によって決定された和音根音を表す根音情報および和音タイプ決定部３６によって決定された和音タイプを表すタイプ情報は、和音構成音決定部３７に供給される。和音構成音決定部３７は、和音根音および和音タイプに対応させて、同和音根音および和音タイプによって指定される和音を構成する和音構成音を表す構成音情報を記憶した和音テーブル３７ａを備え、前記供給された根音情報およびタイプ情報に対応した和音構成音を表す音名情報を決定して選択部３８に供給する。具体的には、例えば図３（Ａ）〜図６（Ａ）のような和音指定操作によって決定されたＣメジャ、Ｃセブンス、ＣマイナおよびＣマイナセブンスの和音の場合、ギターの第１弦、第２弦・・第６弦に対応した各列ごとの音名情報として、それぞれ図３（Ｂ）〜図６（Ｂ）に記載した６個ずつの和音構成音が表す音名情報が選択部３８に供給される。
【００２６】
選択部３８は、モード制御操作検出部３２によるモード制御操作子１４の操作の検出に基づいて、音高指定部３４または和音構成音決定部３７からの音名情報を選択的に楽音信号発生部４０に供給する。すなわち、モード制御操作子１４の操作によって通常演奏モードが選択されていれば、選択部３８は、音高指定部３４からの音名情報を楽音信号発生部４０に供給する。また、モード制御操作子１４の操作によって簡易和音演奏モードが選択されていれば、選択部３８は和音構成音決定部３７からの音名情報を選択的に楽音信号発生部４０に供給する。
【００２７】
楽音信号発生部４０は、音源回路４１、エンベロープ信号発生回路４２および振幅制御回路４３からなる。音源回路４１は、６列のフレット操作子１２１，１２２・・１２６（すなわち６個の弦部材２１１，２１２・・２１６）にそれぞれ対応した６個の音源チャンネルを備えている。これらの音源チャンネルは、６列のフレット操作子１２１，１２２・・１２６に対応して選択部３８を介して供給される音名情報によって表された音高の第１〜第６楽音信号（例えば、ギター音色の楽音信号）をそれそれ形成して振幅制御回路４３に出力する。
【００２８】
エンベロープ信号発生回路４２も、６個の弦部材２１１，２１２・・２１６（すなわち６列のフレット操作子１２１，１２２・・１２６）にそれぞれ対応した６個のエンベロープ信号形成チャンネルを備えている。これらのエンベロープ信号形成チャンネルは、６個の弦部材２１１，２１２・・２１６に対応して弦部材操作検出部３３から供給されるキーオン信号およびタッチ検出信号に応じて、第１〜第６楽音信号に対する第１〜第６エンベロープ信号をそれぞれ形成して出力する。具体的には、各エンベロープ信号形成チャンネルは、キーオン信号の到来に応答して立ち上がり、タッチ検出信号に比例したアタックレベルを有するエンベロープ信号を形成して出力する。
【００２９】
振幅制御回路４３は、各チャンネルごとに、音源回路４１から供給される第１〜第６楽音信号の振幅を、エンベロープ信号発生回路４２から供給される第１〜第６エンベロープ信号により制御して、アンプ５１およびスピーカ５２に供給する。なお、本実施形態では、これらの音源回路４１、エンベロープ信号発生回路４２および振幅制御回路４３はハード回路によって構成されているが、楽音信号発生部４０をプログラム処理によるソフト音源装置を用いて構成してプログラム処理によって第１〜第６楽音信号を形成するようにしてもよい。
【００３０】
次に、上記のように構成した実施形態の動作について説明する。まず、モード制御操作子１４の操作により、この弦楽器型電子楽器が通常演奏モードに設定されている場合について説明する。この場合には、演奏者は、発生されるべき第１〜第６楽音の音高を指定するためにフレット操作子１２１，１２２・・１２６を操作する。このフレット操作子１２１，１２２・・１２６の操作はフレットスイッチ群１３およびフレット操作検出部３１によって検出され、この検出に応じて、音高指定部３４がフレット操作子１２１，１２２・・１２６の操作によって指定された音高を表す第１〜第６楽音のための音名情報を選択部３８を介して楽音信号発生部４０に供給する。
【００３１】
そして、演奏者は、６個の弦部材２１１，２１２・・２１６の一つまたは複数を変位操作（發弦操作）する。この弦部材２１１，２１２・・２１６の操作は変位量センサ群２２および弦部材操作検出部３３によって検出され、弦部材操作検出部３３は、各弦部材２１１，２１２・・２１６の操作に応答したキーオン信号と、各弦部材２１１，２１２・・２１６の変位量に応じたタッチ検出信号を楽音信号発生部４０に供給する。
【００３２】
楽音信号発生部４０においては、音源回路４１が前記供給された第１〜第６楽音のための音名情報により表された音高を有する第１〜第６楽音信号を形成して出力する。また、エンベロープ信号発生回路４２は、前記供給されたキーオン信号に同期して立ち上がり、タッチ検出信号に応じたアタックレベルを有する第１〜第６楽音のためのエンベロープ信号を振幅制御回路４２に出力する。ただし、このエンベロープ信号は、６個の弦部材２１１，２１２・・２１６のうちの操作された弦部材に関するもののみが出力される。
【００３３】
そして、振幅制御回路４３は、音源回路４１から供給される第１〜第６楽音信号の振幅を、エンベロープ信号発生回路４２から供給される第１〜第６エンベロープ信号により制御して、アンプ５１およびスピーカ５２に出力する。したがって、この通常演奏モードにおいては、フレット操作子１２１，１２２・・１２６の操作により指定された音高を有する楽音であって、操作された弦部材２１１，２１２・・２１６に対応した楽音のみがスピーカ５２から発音される。
【００３４】
次に、この弦楽器型電子楽器が簡易和音演奏モードに設定されている場合について説明する。この場合、演奏者は、和音根音および和音タイプを指定するために、例えば図３（Ａ）〜図６（Ａ）に示すように、フレット操作子１２１，１２２・・１２６を操作する。このモードにおいても、フレット操作子１２１，１２２・・１２６の操作はフレットスイッチ群１３およびフレット操作検出部３１によって検出される。しかし、このモードにおいては、和音根音決定部３５および和音タイブ決定部３６が、前述した基準に従って和音根音および和音タイプをそれぞれ決定して、同決定した和音根音および和音タイプをそれぞれ表す根音情報およびタイプ情報を和音構成音決定部３７に供給する。和音構成音決定部３７は、これらの根音情報およびタイプ情報によって指定される和音構成音（例えば、図３（Ａ）〜図６（Ａ）に例示）を表す複数の音名情報を選択部３８を介して楽音信号発生部４０に出力する。
【００３５】
そして、この場合も、演奏者は、発音させようとする第１〜第６楽音に対応した６個の弦部材２１１，２１２・・２１６の一つまたは複数を変位操作（發弦操作）する。この弦部材２１１，２１２・・２１６の操作により、キーオン信号およびタッチ検出信号が楽音信号発生部４０に供給される動作は、前述の通常演奏モードの場合と同様である。そして、楽音信号発生部４０にて、前記音名情報、キーオン信号およびタッチ検出信号に基づいて楽音信号が発生される点に関しても、前述した通常演奏モードの場合と同様である。したがって、この簡易和音演奏モードにおいては、フレット操作子１２１，１２２・・１２６の操作により指定された和音の構成音に対応した楽音が、弦部材２１１，２１２・・２１６の操作に応じてスピーカ５２から発音される。
【００３６】
このように動作する本実施形態の簡易和音演奏モードにおいては、フレット操作子１２１，１２２・・１２６の操作により指定された音高の中で、最高音に対応した音高が和音根音として決定される。そして、前記和音根音として決定された最高音に対応したフレット操作子の低音側に隣接した列に属するフレット操作子および／または同最高音に対応したフレット操作子から低音側に２列目に属するフレット操作子の操作の有無により、和音タイプ（メジャ、セブンス、マイナおよびマイナセブンス）が指定される。その結果、演奏者は、例えばＣメジャ、Ｃセブンス、ＣマイナおよびＣマイナセブンスの和音を指定するために、フレット操作子１２１，１２２・・１２６を図３（Ｂ）〜図６（Ｂ）に示すように操作する代わりに、同フレット操作子１２１，１２２・・１２６を図３（Ａ）〜図６（Ａ）に示すように操作すればよい。したがって、演奏者は、簡単操作により和音構成音に対応した楽音信号を発生させることができ、初心者でも簡単に和音演奏を楽しむことができる。
【００３７】
以上、本発明の一実施形態について説明したが、本発明の実施にあたっては、上記実施形態に限定されるものではなく、本発明の目的を逸脱しない限りにおいて種々の変更が可能である。
【００３８】
例えば、上記実施形態においては、操作されたフレット操作子１２１，１２２・・１２６によって指定された複数の音高のうちで最高音を和音根音として決定するようにしたが、同複数の音高のうちで最低音を和音根音として決定するようにしてもよい。また、操作された複数列のフレット操作子１２１，１２２・・１２６のうちで最も高音側（図１の下側）または低音側（図１の上側）の列の操作されたフレット操作子に対応した音高を和音根音としてもよい。また、操作された複数のフレット操作子１２１，１２２・・１２６のうちで、棹部１０の軸方向端部に最も近いフレット操作子に対応した音高を和音根音としてもよい。一例を挙げると、各根音Ｃ、Ｃ＃・・Ｂに対して、第２弦部第１フレット（Ｃ）、第２弦部第２フレット（Ｃ＃）、第２弦部第３フレット（Ｄ）、第４弦部第１フレット（Ｄ＃）、第４弦部第２フレット（Ｅ）、第６弦部または第１弦部第１フレット（Ｆ）、第６弦部または第１弦部第２フレット（Ｆ＃）、第６弦部または第１弦部第３フレット（Ｇ）、第３弦部第１フレット（Ｇ＃）、第３弦部第２フレット（Ａ）、第５弦部第１フレット（Ａ＃）、および第５弦部第２フレット（Ｂ）がそれぞれ対応する。さらには、前記のような位置的要素に代えて、時間的要素を取り入れて、いずれのフレット操作子１２１，１２２・・１２６も操作されていない状態から最先に操作されたフレット操作子に対応した音高を和音根音としてもよい。このように、和音根音の指定においては、操作されたフレット操作子１２１，１２２・・１２６の中から予め定めた基準に従って和音根音を決定する種々の方法を採用できる。
【００３９】
また、上記実施形態においては、和音根音を指定したフレット操作子の低音側に隣接した列に属するいずれかのフレット操作子および／または同和音根音を指定したフレット操作子から低音側に２列目に属するいずれかのフレット操作子の操作の有無により、和音タイプを決定するようにした。しかし、この和音タイプの決定においても、和音根音を指定したフレット操作子以外のフレット操作子の種々の操作状態を採用できる。
【００４０】
例えば、和音根音を最低音とした場合には、同和音根音を指定したフレット操作子の高音側に隣接した列に属するいずれかのフレット操作子および／または同和音根音を指定したフレット操作子から高音側に２列目に属するいずれかのフレット操作子の操作の有無により、和音タイプを決定するようにするとよい。また、和音根音に対応したフレット操作子から少し離れた列に属するフレット操作子（例えば、２列目および／または３列目に属するフレット操作子）の操作の有無に応じて和音タイプを決定するようにしてもよい。さらに、和音根音を最高音とすれば、同最高音に対応したフレット操作子と同一列に属する低音側の異なるフレット操作子の操作の有無に応じて和音根音を決定し、また和音根音を最低音とすれば、同最低音に対応したフレット操作子と同一列に属する高音側の異なるフレット操作子の操作の有無に応じて和音根音を決定するようにしてもよい。また、和音根音が操作されたフレット操作子のうちで棹部１０の軸方向の端部に最も近いフレット操作子によって指定される場合には、同フレット操作子に対して棹部１０の軸方向の一方の側に属するとともに、操作されたフレット操作子の、前記和音根音を指定したフレット操作子に対する相対位置に応じて和音タイプを決定するようにしてもよい。
【００４１】
また、前記のように和音根音に対応したフレット操作子との位置関係ではなく、和音根音に対応したフレット操作子以外の操作されたフレット操作子の数に応じて和音タイプを決定するようにしてもよい。例えば、和音根音のために操作されたフレット操作子以外の操作されたフレット操作子の数が「０」であればメジャ、同操作されたフレット操作子の数が「１」であればセブンス、同操作されたフレット操作子の数が「２」であればマイナ、同操作されたフレット操作子の数が「３」以上であればマイナセブンスなどとすればよい。さらに、和音根音に対応したフレット操作子と同一フレット位置または同一列の操作されたフレット操作子の数によって和音タイプを決定するようにしてもよい。
【００４２】
前記のように、和音根音が棹部１０の最端部側の操作されたフレット操作子によって指定される場合には、同フレット操作子に対して棹部１０の軸方向の一方の側に属するとともに操作されたフレット操作子の操作数に応じて和音タイプを決定するようにしてもよい。また、いずれのフレット操作子１２１，１２２・・１２６も操作されていない状態から最先に操作されたフレット操作子に対応した音高を和音根音とした場合には、２番目以降に操作されたフレット操作子の位置または数によって和音根音を決定するようにしてもよい。このように、和音タイプの指定においても、操作されたフレット操作子１２１，１２２・・１２６の中から予め定めた基準に従って和音タイプを指定する種々の方法を採用できる。
【００４３】
また、上記実施形態においては、簡易演奏態様によって指定される和音タイプとして、メジャ、マイナ、セブンスおよびマイナセブンスの４種類を採用したが、他のタイプの和音を採用することもできる。また、４種類よりも多くのタイプの和音を採用することもできる。
【００４４】
さらに、上記実施形態においては、６弦ギターに対応させて、６列のフレット操作子１２１，１２２・・１２６および６個の弦部材２１１，２１２・・２１６を設けるようにしたが、１２弦ギターならば「１２」、ベースギターならば「４」のように、フレット操作子の列数および弦部材の数は「６」以外の数であってもよい。また、弦楽器型電子楽器の本体部の形状をギター形状に似せて構成したが、同本体部をバイオリン、チェロ、ビオラダガンバなどの他の弦楽器形状に似せて構成してもよい。この場合には、後述の弓部材のボーイング操作の検出信号を、キーオン信号のためのトリガ信号とすればよい。
【００４５】
また、音高指定操作子に関しても、上記フレット操作子１２１，１２２・・１２６以外の操作子、例えば、単にマトリクス状に配置した操作子、操作位置の検出可能な連続的に配置された棒状、ひも状などの連続操作子、その他の形態で配置した操作子を採用してもよい。また、発音指示部材に関しても、弦部材２１１，２１２・・２１６に代えて、例えば演奏者の手動操作により振動する弦、バイオリンのように弓によって振動する弦などの他の部材を採用することもできる。なお、このような弦の振動を利用する場合には、同弦の振動をピックアップして楽音信号の発生制御に用いるようにするとよい。
【図面の簡単な説明】
【図１】本発明の一実施形態に係る弦楽器型電子楽器の本体部の上面外観図である。
【図２】図１の弦楽器型電子楽器の電気回路装置を示すブロック図である。
【図３】（Ａ）は前記実施形態の簡易和音演奏モードにおけるＣメジャ和音のためのフレット操作子の操作状態を示す運指図、（Ｂ）は通常演奏モードにＣメジャ和音のためのフレット操作子の操作状態を示す運指図である。
【図４】（Ａ）は前記実施形態の簡易和音演奏モードにおけるＣセブンス和音のためのフレット操作子の操作状態を示す運指図、（Ｂ）は通常演奏モードにＣセブンス和音のためのフレット操作子の操作状態を示す運指図である。
【図５】（Ａ）は前記実施形態の簡易和音演奏モードにおけるＣマイナ和音のためのフレット操作子の操作状態を示す運指図、（Ｂ）は通常演奏モードにＣマイナ和音のためのフレット操作子の操作状態を示す運指図である。
【図６】（Ａ）は前記実施形態の簡易和音演奏モードにおけるＣマイナセブンス和音のためのフレット操作子の操作状態を示す運指図、（Ｂ）は通常演奏モードにＣマイナセブンス和音のためのフレット操作子の操作状態を示す運指図である。
【符号の説明】
１０…棹部、１１…フレット、１２１，１２２・・１２６…フレット操作子、１３…フレットスイッチ群、２０…胴部、２１１，２１２・・２１６…弦部材、２２…変位量センサ群、３１…フレット操作検出部、３３…弦部材操作検出部、３５…和音根音決定部、３６…和音タイプ決定部、３７…和音構成音決定部、４０…楽音信号発生部。
【図１】
2004117621.tif 000003
【図２】
2004117621.tif 000004
【図３】
2004117621.tif 000005
【図４】
2004117621.tif 000006
【図５】
2004117621.tif 000007
【図６】
2004117621.tif 000008